(57)【要約】【課題】プロテクタ外部への電線のこぼれを抑制する。【解決手段】プロテクタは、底部と、一対の側壁とを備える収容部と、収容部の開口部を閉鎖可能なように一方の側壁に一端が回動可能に設けられるとともに、他端部分のうち他方の側壁と当接する部分に貫通孔が形成された蓋部と、収容部の他方の側壁のうち蓋部が開口部を閉じたときに貫通孔と対向する部分から他方の側壁の立設方向に沿って立設されるとともに、開口部を閉じる途中の蓋部の貫通孔に、基端側部分が立設方向に沿って延在している状態で先端を挿通可能な長尺帯状に形成され、可撓性を有するバンド部と、外周面をなす蓋部の一面のうち貫通孔よりも一端側の部分から突設されるとともに、開口部を閉じる途中の蓋部の貫通孔をバンド部の先端側部分が貫通して蓋部の一端側へ曲げられた状態で、先端側部分を蓋部の一面側に押さえ込むように収容可能な穴部が形成されている盛り上がり部と、を備える。【選択図】図１
2016063635.tif 000002
【特許請求の範囲】
【請求項１】
底部と、前記底部の両側から同じ側に突出した一対の側壁とを備えて樋状の形状に形成された収容部と、
前記収容部の開口部を閉鎖可能なように前記一対の側壁のうち一方の側壁に一端が回動可能に設けられるとともに、他端部分のうち前記収容部の他方の側壁と当接する部分に貫通孔が形成された蓋部と、
前記収容部の前記他方の側壁のうち前記蓋部が前記開口部を閉じたときに前記貫通孔と対向する部分から前記他方の側壁の立設方向に沿って立設されるとともに、前記開口部を閉じる途中の前記蓋部の前記貫通孔に、基端側部分が前記立設方向に沿って延在している状態における先端を挿通可能な長尺帯状に形成され、可撓性を有するバンド部と、
前記開口部を閉じたときに外周面をなす前記蓋部の一面のうち前記貫通孔よりも前記一端側の部分から突設されるとともに、前記開口部を閉じる途中の前記蓋部の前記貫通孔を前記バンド部の先端側部分が貫通して前記蓋部の前記一端側へ曲げられた状態で、前記先端側部分を前記蓋部の前記一面側に押さえ込むように収容可能な穴部が形成されている盛り上がり部と、
を備える、プロテクタ。
【請求項２】
請求項１に記載のプロテクタであって、
前記盛り上がり部の前記穴部は、前記盛り上がり部のうち前記蓋部の前記貫通孔側の部分と、前記盛り上がり部のうち前記蓋部の前記一端側の部分とのそれぞれに開口して、前記盛り上がり部を前記蓋部の前記一面に沿って貫通している、プロテクタ。
【請求項３】
請求項１または請求項２に記載のプロテクタであって、
前記蓋部の前記一面における前記貫通孔の開口が、前記蓋部の他面における前記貫通孔の開口よりも前記盛り上がり部に近くなるように、前記貫通孔が前記蓋部の前記一面に対して斜めに形成されている、プロテクタ。
【請求項４】
請求項１から請求項３の何れか１つの請求項に記載のプロテクタであって、
前記蓋部の前記他面における前記貫通孔の開口の幅が、前記蓋部の前記一面における前記貫通孔の開口の幅よりも大きい、プロテクタ。
【請求項５】
請求項１から請求項４の何れか１つの請求項に記載のプロテクタであって、
前記盛り上がり部の前記穴部のうち少なくとも前記貫通孔側の部分において、前記貫通孔から遠ざかる程、前記蓋部の前記一面に垂直な方向に沿った前記穴部の幅が小さくなっている、プロテクタ。
【請求項６】
請求項１から請求項５の何れか１つの請求項に記載のプロテクタであって、
前記バンド部は、前記バンド部の先端に近づくにつれて厚みが減少する傾斜部を先端部分に備えている、プロテクタ。
【請求項７】
請求項１から請求項６の何れか１つの請求項に記載のプロテクタであって、
前記蓋部が前記収容部の前記開口部を閉じたときに前記収容部の前記他方の側壁の外側面に沿って延在するように前記蓋部の前記他端から前記底部側に立設された側壁をさらに備える、プロテクタ。
【発明の詳細な説明】
【技術分野】
【０００１】
本発明は、ワイヤーハーネスを収容するプロテクタに関する。
【背景技術】
【０００２】
従来、自動車に配索するワイヤーハーネスの保護や経路規制するために、ワイヤーハーネスを内部に挿通させるプロテクタにおいて、樋形状のプロテクタ本体にワイヤーハーネスを通した後に、プロテクタ本体の上面開口を蓋で閉鎖して、プロテクタ本体と蓋とをロックしている。このため、ワイヤーハーネスを構成する多数のばらばらの電線をプロテクタ本体に収容しようとすると、上面開口を閉じる途中の蓋によって電線が押し上げられてプロテクタ本体の上面開口から電線の一部がはみ出すことによりプロテクタ本体の側壁と蓋との間に電線が噛み込まれる問題や、電線がプロテクタの外部にこぼれる問題がある。
【０００３】
特許文献１のプロテクタは、樋形状のプロテクタ本体と、プロテクタ本体の一側壁の先端と薄肉ヒンジ部を介して連結する蓋とを備える。プロテクタ本体と蓋は薄肉ヒンジ部が設けられない屈曲部を備えている。そして、可撓性を有してプロテクタ本体側に湾曲する電線噛み込み防止用の羽根部が、プロテクタ本体の屈曲部における一側壁の先端と、他側壁の先端とのそれぞれからから突出されている。これら羽根部によってプロテクタの外部にはみ出る電線をプロテクタ内に誘い込んで電線のかみ込みの防止が図られている。
【先行技術文献】
【特許文献】
【０００４】
【特許文献１】特開２００９−６７１８１９号公報
【発明の概要】
【発明が解決しようとする課題】
【０００５】
しかしながら、特許文献１のプロテクタによってもなお、蓋が上面開口を閉じる過程で電線が蓋によって押し上げられることによって、蓋と羽根部の上端との隙間から電線がプロテクタ外部にこぼれるといった問題がある。
【０００６】
本発明は、こうした問題を解決するためになされたもので、プロテクタに複数のばらばらの電線を収容する場合に、プロテクタ外部への電線のこぼれを抑制できる技術を提供することを目的とする。
【課題を解決するための手段】
【０００７】
上記の課題を解決するために、第１の態様に係るプロテクタは、底部と、前記底部の両側から同じ側に突出した一対の側壁とを備えて樋状の形状に形成された収容部と、前記収容部の開口部を閉鎖可能なように前記一対の側壁のうち一方の側壁に一端が回動可能に設けられるとともに、他端部分のうち前記収容部の他方の側壁と当接する部分に貫通孔が形成された蓋部と、前記収容部の前記他方の側壁のうち前記蓋部が前記開口部を閉じたときに前記貫通孔と対向する部分から前記他方の側壁の立設方向に沿って立設されるとともに、前記開口部を閉じる途中の前記蓋部の前記貫通孔に、基端側部分が前記立設方向に沿って延在している状態における先端を挿通可能な長尺帯状に形成され、可撓性を有するバンド部と、前記開口部を閉じたときに外周面をなす前記蓋部の一面のうち前記貫通孔よりも前記一端側の部分から突設されるとともに、前記開口部を閉じる途中の前記蓋部の前記貫通孔を前記バンド部の先端側部分が貫通して前記蓋部の前記一端側へ曲げられた状態で、前記先端側部分を前記蓋部の前記一面側に押さえ込むように収容可能な穴部が形成されている盛り上がり部と、を備える。
【０００８】
第２の態様に係るプロテクタは、第１の態様に係るプロテクタであって、前記盛り上がり部の前記穴部は、前記盛り上がり部のうち前記蓋部の前記貫通孔側の部分と、前記盛り上がり部のうち前記蓋部の前記一端側の部分とのそれぞれに開口して、前記盛り上がり部を前記蓋部の前記一面に沿って貫通している。
【０００９】
第３の態様に係るプロテクタは、第１または第２の態様に係るプロテクタであって、前記蓋部の前記一面における前記貫通孔の開口が、前記蓋部の他面における前記貫通孔の開口よりも前記盛り上がり部に近くなるように、前記貫通孔が前記蓋部の前記一面に対して斜めに形成されている。
【００１０】
第４の態様に係るプロテクタは、第１から第３の何れか１つの態様に係るプロテクタであって、前記蓋部の前記他面における前記貫通孔の開口の幅が、前記蓋部の前記一面における前記貫通孔の開口の幅よりも大きい。
【００１１】
第５の態様に係るプロテクタは、第１から第４の何れか１つの態様に係るプロテクタであって、前記盛り上がり部の前記穴部のうち少なくとも前記貫通孔側の部分において、前記貫通孔から遠ざかる程、前記蓋部の前記一面に垂直な方向に沿った前記穴部の幅が小さくなっている。
【００１２】
第６の態様に係るプロテクタは、第１から第５の何れか１つの態様に係るプロテクタであって、前記バンド部は、前記バンド部の先端に近づくにつれて厚みが減少する傾斜部を先端部分に備えている。
【００１３】
第７の態様に係るプロテクタは、第１から第６の何れか１つの態様に係るプロテクタであって、前記蓋部が前記収容部の前記開口部を閉じたときに前記収容部の前記他方の側壁の外側面に沿って延在するように前記蓋部の前記他端から前記底部側に立設された側壁をさらに備える。
【発明の効果】
【００１４】
第１の態様に係る発明によれば、バンド部は、その基端側部分が収容部の他方の側壁の立設方向に沿って延在している状態で、その先端を、収容部の開口部を閉じる途中の蓋部の貫通孔に挿通可能な長尺帯状に形成されており、可撓性を有している。そして、蓋部から突設されている盛り上がり部には、開口部を閉じる途中の蓋部の貫通孔をバンド部の先端側部分が貫通して蓋部の一端側へ曲げられた状態で、当該先端側部分を蓋部の一面側に押さえ込むように収容可能な穴部が形成されている。従って、蓋部が収容部の開口部を閉じる途中の状態において、バンド部の先端側部分を蓋部の貫通孔に貫通させて、さらに蓋部の一端側に曲げて盛り上がり部の穴部に収容することによって、先端側部分を蓋部の一面側に押さえ込むことができる。これにより、蓋部が収容部の開口部を閉じる途中から閉じ終わるまで、盛り上がり部の穴部からのバンド部の抜けを規制しつつ、蓋部の他端部分とバンド部とを隙間無く繋ぐことができる。従って、プロテクタに複数のばらばらの電線を収容する場合において、プロテクタ外部への電線のこぼれを抑制できる。
【００１５】
第２の態様に係る発明によれば、盛り上がり部の穴部は、盛り上がり部のうち蓋部の貫通孔側の部分と、盛り上がり部のうち蓋部の一端側の部分とのそれぞれに開口して、盛り上がり部を蓋部の一面に沿って貫通している。従って、穴部にバンド部を貫通させることによってバンド部のうち基端側により近い部分を穴部によって押さえることができる。これにより、盛り上がり部の穴部からのバンド部の抜けをさらに規制しつつ、蓋部の他端部分とバンド部とを隙間無く繋ぐことができる。
【００１６】
第３の態様に係る発明によれば、蓋部の一面における貫通孔の開口が、蓋部の他面における貫通孔の開口よりも盛り上がり部に近くなるように、貫通孔が蓋部の一面に対して斜めに形成されている。従って、貫通孔を貫通したバンド部の先端が盛り上がり部の穴部に近づくようにバンド部先端の移動方向を規制できるので、バンド部を盛り上がり部の穴部に挿入する作業が容易になる。
【００１７】
第４の態様に係る発明によれば、蓋部の他面における貫通孔の開口の幅が、蓋部の一面における貫通孔の開口の幅よりも大きいので、バンド部を貫通孔に挿入させやすくなるとともに、貫通孔を貫通した先端の移動方向をより規制し易くなる。
【００１８】
第５の態様に係る発明によれば、盛り上がり部の穴部のうち少なくとも貫通孔側の部分において、貫通孔から遠ざかる程、蓋部の一面に垂直な方向に沿った穴部の幅が小さくなっているので、バンド部の先端を穴部に容易に挿入できるとともに、蓋が閉じるにつれて穴部のより奥の部分によってバンド部をより強く押さえることができる。
【００１９】
第６の態様に係る発明によれば、バンド部は、先端に近づくにつれて厚みが減少する傾斜部を先端部分に備えているので、バンド部の先端を蓋部の貫通孔および盛り上がり部の穴部のそれぞれに挿入させやすくなる。
【００２０】
第７の態様に係る発明によれば、蓋部の他端から立設された側壁によって、蓋部が収容部の開口部を閉じる途中で、バンド部の先端が側壁に当り、貫通孔側に近づくように先端の移動方向が規制される。従って、バンド部を貫通孔に挿通させやすくなる。
【図面の簡単な説明】
【００２１】
【図１】実施形態に係るプロテクタの構成の一例を示す斜視図である。
【図２】蓋部が開いた状態における図１のプロテクタの断面図である。
【図３】蓋部が収容部の開口部を閉じる途中の図１のプロテクタの断面図である。
【図４】蓋部が収容部の開口部を閉じる途中の図１のプロテクタの断面図である。
【図５】蓋部が収容部の開口部を閉じる途中の図１のプロテクタの断面図である。
【図６】蓋部が収容部の開口部を閉じたときの図１のプロテクタの断面図である。
【図７】蓋部の貫通孔の他の構成例を示す蓋部の断面図である。
【図８】蓋部の貫通孔の他の構成例を示す蓋部の断面図である。
【図９】盛り上がり部の穴部の他の構成例を示す蓋部の断面図である。
【図１０】盛り上がり部の穴部の他の構成例を示す蓋部の断面図である。
【発明を実施するための形態】
【００２２】
プロテクタ１は、ワイヤーハーネスを構成する複数の電線９を収容して保護する。
【００２３】
プロテクタ１は、収容部２０と、蓋部３０と、盛り上がり部４０と、バンド部５０と、側壁６０とを主に備えている。収容部２０と蓋部３０とは薄肉ヒンジ４９を介して接続されており、プロテクタ１は、樹脂によって一体成形されている（図１参照）。
【００２４】
収容部２０は、底部２１と、底部２１の両側から同じ側に突出した一対の側壁２２、２３とを備えて樋状の形状に形成されている。収容部２０は、底部２１と、一対の側壁２２、２３とによって囲まれる収容空間に複数の電線９を収容する。
【００２５】
蓋部３０は、収容部２０の開口部２４を閉鎖可能なように一対の側壁２２、２３のうち一方の側壁２２に一端３３が回動可能に設けられている。蓋部３０の他端３４部分のうち収容部２０の他方の側壁２３と当接する部分には、蓋部３０を貫通する貫通孔３５が形成されている。
【００２６】
バンド部５０は、収容部２０の側壁２３のうち蓋部３０が開口部２４を閉じたときに貫通孔３５と対向する部分から側壁２３の立設方向に沿って立設されている（図２参照）。
【００２７】
バンド部５０は、バンド部５０の基端５１側部分が側壁２３の立設方向に沿って延在している状態で、開口部２４を閉じる途中の蓋部３０における貫通孔３５にバンド部５０の先端５３を挿通可能な長尺帯状に形成されている（図４参照）。また、バンド部５０は、可撓性を有している。
【００２８】
なお、図３〜図５は、何れも、蓋部が収容部の開口部を閉じる途中のプロテクタ１の断面図であるが、図面番号の昇順に、蓋部３０の他端３４が、収容部２０の側壁２３により近づいている。
【００２９】
側壁６０は、蓋部３０が底部２１の開口部２４を閉じたときに側壁２３の外側面に沿って延在するように蓋部３０の他端３４から底部２１側に立設されている（図１参照）。これにより、図２に示されるように、蓋部３０が開いている状態から蓋部３０を閉じる過程で、バンド部５０の先端５３が側壁６０に当たって、先端５３の向きが貫通孔３５に向かう方向に規制されるので、先端５３を貫通孔３５により挿入しやすくなる（図３参照）。しかしながら、プロテクタ１が側壁６０を備えていないとしても本発明の有用性を損なうものではない。
【００３０】
蓋部３０の一面３１には、盛り上がり部４０が形成されている。一面３１は、蓋部３０の両主面のうち蓋部３０が開口部２４を閉じたときに外周面をなす面である。盛り上がり部４０は、一面３１のうち貫通孔３５よりも蓋部３０の一端３３側の部分から突設されている。
【００３１】
盛り上がり部４０には、穴部４１が形成されている。穴部４１は、盛り上がり部４０のうち貫通孔３５側の部分と、盛り上がり部４０のうち蓋部３０の一端３３側の部分とのそれぞれに開口しており、盛り上がり部４０を蓋部３０の一面３１に沿って貫通している。より詳細には、穴部４１は、開口部２４を閉じる途中の蓋部３０における貫通孔３５を、バンド部５０の先端５３側部分が貫通して、さらに蓋部３０の一端３３側へ曲げられた状態において、先端５３側部分を収容して先端５３側部分を蓋部３０の一面３１側に押さえ込むことができるように形成されている（図５参照）。
【００３２】
バンド部５０は、例えば、先端５３（図１〜図５参照）のように、バンド部５０の先端に近づくにつれて厚みが減少する傾斜部を先端部分に備えていることが好ましい。これにより、バンド部５０の先端５３を貫通孔３５および穴部４１の何れにも挿入しやすくなる。バンド部５０が先端に傾斜部を備えていないとしても、バンド部５０の先端を貫通孔３５、穴部４１に挿通指させることはできる。従って、バンド部５０が先端に傾斜部を備えていないとしても本発明の有用性を損なうものではない。
【００３３】
側壁６０の先端には、係止爪が形成された２つの係止片９１が設けられるとともに、収容部２０の側壁２３の外側面には、２つの係止片９１がそれぞれ係止可能な２つの枠部９２がそれぞれ設けられている。
【００３４】
図５に示される状態から蓋部３０がさらに閉じられて、開口部２４を完全に閉じたときには、各枠部９２に対応する各係止片９１が係止することにより、蓋部３０と収容部２０とはロックされる（図６参照）。バンド部５０の先端５３は、盛り上がり部４０の穴部４１を貫通し、盛り上がり部４０に対して蓋部３０の一端３３側に達している。
【００３５】
このように、図４〜図６に示される蓋部３０の閉鎖過程においては、蓋部３０の開閉度合いに拘わらず、蓋部３０の他端３４部分と、バンド部５０とが隙間無く繋がれた状態になっている。これにより、蓋部３０を閉じる過程における電線９の収容部２０からのこぼれ落ちを抑制できる。
【００３６】
また、蓋部３０が閉じられる過程のうち、バンド部５０の先端５３が貫通孔３５に挿入された後においては、バンド部５０の先端５３側部分は、貫通孔３５あるいは穴部４１によって、動きを規制されている。従って、振動等によって、バンド部５０が他の部材に当たることなどによって生ずる異音の発生を抑制できる。
【００３７】
なお、貫通孔３５に代えて貫通孔３５Ａが蓋部３０に形成されてもよい（図７参照）。蓋部３０の一面３１における貫通孔３５Ａの開口と盛り上がり部４０との距離は、図７の断面視における蓋部３０の延在方向において、蓋部３０の他面３２における貫通孔３５Ａの開口と盛り上がり部４０との距離よりも短くなっている。そして、貫通孔３５Ａは、一面３１対して斜めに形成されている。この場合には、貫通孔３５Ａを貫通したバンド部５０の先端５３を、蓋部３０をさらに閉じる過程で、盛り上がり部４０の穴部４１側に導きやすくなる。
【００３８】
また、貫通孔３５に代えて貫通孔３５Ｂが蓋部３０に形成されてもよい（図８参照）。蓋部３０の他面３２における貫通孔３５Ｂの開口の幅は、蓋部３０の一面３１における貫通孔３５Ｂの開口の幅よりも大きくなっている。この場合には、バンド部５０の先端５３を貫通孔３５Ａに挿入しやすい。また、貫通孔３５を貫通した先端５３の移動方向を、盛り上がり部４０側に規制しやすくなる。
【００３９】
また、盛り上がり部４０に代えて盛り上がり部４０Ｃが蓋部３０に形成されてもよい（図９参照）。盛り上がり部４０Ｃには、盛り上がり部４０の穴部４１に代えて、穴部４１Ｃが形成されている。穴部４１Ｃのうち少なくとも貫通孔３５側の部分において、貫通孔３５から遠ざかる程、蓋部３０の一面３１に垂直な方向に沿った穴部４１Ｃの幅が小さくなっている。これにより、蓋部３０が閉じられるにつれて、バンド部５０の先端５３が穴部４１Ｃのより奥の部分に入るので、穴部４１Ｃがバンド部５０を一面３１側に押さえ込む力がより強くなる。収容部２０から溢れるくらい多数の電線９が収容部２０に収容されている場合には、蓋部３０の閉鎖度合いが強くなるにつれて、蓋部３０が各電線９から受ける圧力が強くなる。しかしながら、蓋部３０の閉鎖度合いが強くなるにつれて、穴部４１Ｃがバンド部５０を一面３１側に押さえつける力も強くなるので、不意に蓋部３０が開いて電線９がこぼれ落ちることを抑制できる。
【００４０】
図６に示されるように、蓋部３０が開口部２４を完全に閉鎖して、蓋部３０がロックされた後は、バンド部５０は不要となるので、バンド部５０を切断して除去してもよい。また、プロテクタ１が係止片９１、枠部９２を備えていないとしても、蓋部３０が開口部２４を閉鎖した後にプロテクタ１をテープ巻等により固定すれば電線９のこぼれ落ちを抑制できる。従って、プロテクタ１が係止片９１、枠部９２を備えていないとしても本発明の有用性を損なうものではない。
【００４１】
また、盛り上がり部４０に代えて盛り上がり部４０Ｄが蓋部３０に形成されてもよい（図１０参照）。盛り上がり部４０Ｄには、盛り上がり部４０Ｄの側面のうち貫通孔３５側の側面のみに開口している穴部４１Ｄが形成されている。このように、穴部４１Ｄが盛り上がり部４０Ｄを貫通していない場合でも、盛り上がり部４０Ｄの幅を十分に長くして、穴部４１Ｄの長さを長くすれば、バンド部５０が長い場合でも、バンド部５０を穴部４１Ｄ内に収容することができる。
【００４２】
以上のような本実施形態に係るプロテクタによれば、バンド部５０は、その基端５１側部分が収容部２０の他方の側壁２３の立設方向に沿って延在している状態で、その先端５３を、収容部２０の開口部２４を閉じる途中の蓋部３０の貫通孔３５に挿通可能な長尺帯状に形成されており、可撓性を有している。そして、蓋部３０から突設されている盛り上がり部４０には、開口部２４を閉じる途中の蓋部３０の貫通孔３５をバンド部５０の先端５３側部分が貫通して蓋部３０の一端３３側へ曲げられた状態で、先端５３側部分を蓋部３０の一面３１側に押さえ込むように収容可能な穴部４１が形成されている。従って、蓋部３０が開口部２４を閉じる途中の状態において、バンド部５０の先端５３側部分を貫通孔３５に貫通させて、さらに蓋部３０の一端３３側に曲げて盛り上がり部４０の穴部４１に収容することによって、先端５３側部分を蓋部３０の一面３１側に押さえ込むことができる。これにより、蓋部３０が開口部２４を閉じる途中から閉じ終わるまで、盛り上がり部４０からのバンド部５０の抜けを規制しつつ、蓋部３０の他端３４部分とバンド部５０とを隙間無く繋ぐことができる。従って、プロテクタに複数のばらばらの電線９を収容する場合において、プロテクタ外部への電線９のこぼれを抑制できる。
【００４３】
また、以上のような本実施形態に係るプロテクタによれば、盛り上がり部４０の穴部４１は、盛り上がり部４０のうち貫通孔３５側の部分と、盛り上がり部のうち蓋部３０の一端３３側の部分とのそれぞれに開口して、盛り上がり部４０を一面３１に沿って貫通している。従って、穴部４１にバンド部５０を貫通させることによってバンド部５０のうち基端５１側により近い部分を穴部４１によって押さえることができる。これにより、穴部４１からのバンド部５０の抜けをさらに規制しつつ、蓋部３０の他端３４部分とバンド部５０とを隙間無く繋ぐことができる。
【００４４】
また、以上のような本実施形態に係るプロテクタによれば、蓋部３０の一面３１における貫通孔３５Ａの開口が、断面視における蓋部３０の延在方向おいて、蓋部３０の他面３２における貫通孔３５Ａの開口よりも盛り上がり部４０に近くなるように、貫通孔３５Ａが蓋部３０の一面３１に対して斜めに形成されている。従って、貫通孔３５Ａを貫通したバンド部５０の先端５３が穴部４１に近づくように先端５３の移動方向を規制できるので、バンド部５０を穴部４１に挿入する作業が容易になる。
【００４５】
また、以上のような本実施形態に係るプロテクタによれば、蓋部３０の他面３２における貫通孔３５Ｂの開口の幅が、蓋部３０の一面３１における貫通孔３５Ｂの開口の幅よりも大きいので、バンド部５０を貫通孔３５Ｂに挿入させやすくなるとともに、貫通孔３５Ｂを貫通した先端５３の移動方向をより規制し易くなる。
【００４６】
また、以上のような本実施形態に係るプロテクタによれば、盛り上がり部４０Ｃの穴部４１Ｃのうち少なくとも貫通孔３５側の部分において、貫通孔３５から遠ざかる程、蓋部３０の一面３１に垂直な方向に沿った穴部４１Ｃの幅が小さくなっているので、バンド部５０の先端５３を穴部４１Ｃに容易に挿入できるとともに、蓋部３０が閉じるにつれて穴部４１Ｃのより奥の部分によってバンド部５０をより強く押さえることができる。
【００４７】
また、以上のような本実施形態に係るプロテクタによれば、バンド部５０は、先端５３に近づくにつれて厚みが減少する傾斜部を先端５３部分に備えているので、バンド部５０の先端５３を蓋部３０の貫通孔３５および盛り上がり部４０の穴部４１のそれぞれに挿入させやすくなる。
【００４８】
また、以上のような本実施形態に係るプロテクタによれば、蓋部３０の他端３４から立設された側壁６０によって、蓋部３０が収容部２０の開口部２４を閉じる途中で、バンド部５０の先端５３が側壁６０に当り、貫通孔３５側に近づくように先端５３の移動方向が規制される。従って、バンド部５０を貫通孔３５に挿通させやすくなる。
【００４９】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００５０】
１  プロテクタ
９  電線
２０  収容部
２１  底部
２２  側壁（一方の側壁）
２３  側壁（他方の側壁）
２４  開口部
３０  蓋部
３５，３５Ａ，３５Ｂ  貫通孔
４０，４０Ｃ，４０Ｄ  盛り上がり部
４１，４１Ｃ，４１Ｄ  穴部
４９  薄肉ヒンジ
５０  バンド部
５１  基端
５３  先端
【図１】
2016063635.tif 000003
【図２】
2016063635.tif 000004
【図３】
2016063635.tif 000005
【図４】
2016063635.tif 000006
【図５】
2016063635.tif 000007
【図６】
2016063635.tif 000008
【図７】
2016063635.tif 000009
【図８】
2016063635.tif 000010
【図９】
2016063635.tif 000011
【図１０】
2016063635.tif 000012